(57)【要約】      （修正有）【課題】パーツの紛失やカバーの閉め忘れを防止するメンテナンスカバー付き通信機器を提供する。【解決手段】メンテナンスカバー付き通信機器は、筐体５と、筐体の内部に設けられ、保守時に筐体に設けられた穴から露出されるメンテナンス用電子部品１０−１、２と、筐体の外部に設けられ、複数の略平行の長穴と窓を有しメンテナンス用電子部品を覆う平板状のカバー６と、複数の長穴をそれぞれ貫通させて筐体に固着し、カバーを長穴の長手方向にスライド可能に保持する複数の固定手段７−１、２と、を有する。そして筐体には、カバーがメンテナンス用電子部品を覆った状態となるとき窓から露出する、カバーの開け方向を指示する表記を設け、カバーの裏面には、カバーの窓からメンテナンス用電子部品が露出した状態となるとき筐体からせり出すことで露出する、カバーの閉め方向を指示する表記を設ける。【選択図】図７
2008103555.tif 000002
【特許請求の範囲】
【請求項１】
筐体と、
前記筐体の内部に設けられ、保守時に前記筐体に設けられた穴から露出されるメンテナンス用電子部品と、
前記筐体の外部に設けられ、複数の略平行の長穴と窓を有し、前記メンテナンス用電子部品を覆う平板状のカバーと、
前記複数の長穴をそれぞれ貫通した状態で前記筐体に固定され、前記カバーを前記長穴の長手方向にスライド可能に保持する複数の固定手段と、を有し、
前記筐体には、前記カバーが前記メンテナンス用電子部品を覆った状態となるとき前記窓から露出する、前記カバーの開け方向を指示する表記を設け、
前記カバーの裏面には、前記カバーの前記窓から前記メンテナンス用電子部品が露出した状態となるとき前記筐体からせり出すことで露出する、前記カバーの閉め方向を指示する表記を設けたことを特徴とするメンテナンスカバー付き通信機器。
【発明の詳細な説明】
【技術分野】
【０００１】
本発明は、メンテナンスカバー付き通信機器に係り、特に電子機器等においてメンテナンス時のみに使用するコネクタ類を覆うメンテナンスカバーの取り付け構造が改良されたメンテナンスカバー付き通信機器に関する。
【背景技術】
【０００２】
図１は、従来の通信機器の外観図である。図１の通信機器は具体的にはＩＭＴ−２０００用の中継増幅装置であって、角が取れた直方体状の筐体に収納されている。筐体は、最も長さの短い辺に対する略垂直面で略半分に分割可能となるように、２つの部材で構成されている。内部の機器本体を収納した上で、その両部材をボルトなどで締着し、箱状の筐体を成すようにしている。筐体の両部材は、鋳造や射出成形などで成型されるので、その天面、底面、及び両側面は、型抜き等の都合上、接合（開口）面側から離れるに従い幅が狭くなるようなテーパ面となっている。
また、筐体の天面側には、高周波同軸ケーブルや電源ケーブルのような太くて硬いケーブル類と接続するためのコネクタ等が設けられ、底面側には、その他のコネクタ類、スイッチ類が設けられている。
【０００３】
底面側に設けられたコネクタ類や設定スイッチ類には、運用開始時の初期設定、もしくは定期メンテナンス時、装置不具合時のメンテナンス時にのみ使用するものがあり、それらは通常運用時には一切使用しない。そのため、容易にアクセスして設定変更等ができない様に、それらコネクタ類、各種設定スイッチには、いたずら防止や異物混入保護の観点から、メンテナンスカバー（保護カバー）が取り付けられるのが一般的である。
【０００４】
図２は、図１の通信機器の底面図（メンテナンスカバー装着時）であり、図３は、図１の通信機器の底面図（メンテナンスカバー非装着時）である。
１は筐体、２はメンテナンスカバー、３−１はメンテナンスカバー２の一端を筐体１に固定するネジ、３−２は他の一端を固定するネジ、４−１はメンテナンスカバー２の取り付け面から飛び出さない程度に筐体２の内部に備えられたメンテナンス用コネクタ、４−２は同様に筐体２の内部に備えられた設定スイッチである。
筐体１のメンテナンス用コネクタ４−１等の設けられる部分には、メンテナンスカバー２の取り付け面として、平坦な凹部（ザグリ）を形成し、凹部内に個々のメンテナンス用コネクタ４−１等のみが露出するような開口を穿設する。凹部はメンテナンスカバー２より若干大きな形状と、メンテナンスカバー２の厚さと同程度かそれ以上の深さを有しており、メンテナンスカバー２はその凹部に収められる。これにより筐体からの無用な突出がなくなり、外部の物体がぶつかることによるメンテナンスカバー２の損傷も防止できる。凹部の背面寄りの端は、筐体底面がテーパをなしているために、底面表面と段差がなくなっていてもよい。
メンテナンス時にメンテナンス用コネクタ４−１や設定スイッチ４−２にアクセスする場合、２本ある固定ネジ３−１、３−２の両方を完全に取り外す、もしくは、固定ネジ３−１のみ完全に取り外し、固定ネジ３−２を若干緩めて、メンテナンスカバー２を略９０度回転させる。
【０００５】
図４は、従来の図１の通信機器のメンテナンスカバー２の外観図である。メンテナンスカバー２は、例えば略長方形の金属若しくは樹脂製の平板であり、両端部に固定ネジ３−１、３−２をそれぞれ通すための穴２−１、２−２が設けられている。
本例では、穴２−２とネジ３−２により筐体に接続された状態で回転可能になるように、メンテナンスカバー２の穴２−２側の一端は、穴２−２を中心する一定の半径で略半周に亘る面取りが施されている。
【０００６】
【特許文献１】特開平９−１０２０５３号公報
【特許文献２】特開平８−５１５８３号公報
【発明の開示】
【発明が解決しようとする課題】
【０００７】
しかしながら従来の通信機器では、少なくても１個の固定ネジを完全に取り外す必要があること、また、作業性を考慮した場合は、２本の固定ネジとメンテナンスカバーを全て取り外さなければならないため、それらパーツを紛失する恐れがあった。特に、本装置が天井裏等の作業性が悪いエリアに設置されている場合、なおさらアクセスが困難となり、これらのパーツを紛失しやすくなる。
また、メンテナンス完了後に一度取り外した固定ネジ、メンテナンスカバーを取り付けなければならないが、その作業を忘れてそのまま運用開始しても、装置の設置方向によってはそれを発見するのが困難であった。
【０００８】
本発明は上記実情に鑑みて為されたもので、わずかな形状変更により部品点数を増やすことなく、メンテナンスカバー等の紛失を防ぎ、メンテナンスカバーの戻し忘れを容易に発見することができるメンテナンスカバー付き通信機器を提供することを目的とする。
【課題を解決するための手段】
【０００９】
筐体の内部に設けられ、保守時に前記筐体に設けられた穴から露出されるメンテナンス用電子部品と、
前記筐体の外部に設けられ、複数の略平行の長穴と窓を有し、前記メンテナンス用電子部品を覆う平板状のカバーと、
前記複数の長穴をそれぞれ貫通した状態で前記筐体に固定され、前記カバーを前記長穴の長手方向にスライド可能に保持する複数の固定手段と、を有し、
前記筐体には、前記カバーが前記メンテナンス用電子部品を覆った状態となるとき前記窓から露出する、前記カバーの開け方向を指示する表記を設け、
前記カバーの裏面には、前記カバーの前記窓から前記メンテナンス用電子部品が露出した状態となるとき前記筐体からせり出すことで露出する、前記カバーの閉め方向を指示する表記を設けたことを特徴とするメンテナンスカバー付き通信機器。
【００１０】
前記固定手段はネジであり、ねじ締められることで前記カバーの自由なスライドを拘束することを特徴とする前述のメンテナンスカバー付き通信機器。
【発明の効果】
【００１１】
本発明によれば、メンテナンスカバー等の紛失を防ぎ、メンテナンスカバーの戻し忘れを容易に発見することができる。
【発明を実施するための最良の形態】
【００１２】
以下本発明を実施例を通じて図面を参照しながら説明するが、実施例で説明する構成の全ての組み合わせが本発明に必須であるとは限らない。また各実施例の特徴の任意の組み合わせや、引用した従来技術との組み合わせも本発明に含まれうる。
【実施例１】
【００１３】
図５は本実施例のメンテナンスカバー付き通信機器の外観図、図６はその底面図（メンテナンスカバー閉鎖時）である。
筐体５は、メンテナンスカバー６の取り付け面における構成を除き、従来の筐体１と同じである。具体的には、取り付け面を構成する凹部が、メンテナンスカバー６の形状にあわせて拡大されている。
メンテナンスカバー６は、略長方形状の平板であり、その向かい合う二辺にそれぞれ沿って長穴（６−１、６−２）を有している。詳細は後述する。
窓６−３は、メンテナンスカバーに略長方形状に設けられ、メンテナンスカバー６を長穴（６−１、６−２）の長さ分いっぱいまでスライドしたとき（メンテナンス位置）に、メンテナンス用コネクタ（１０−１）や設定スイッチ（１０−２）が従来と同様に必要なだけ露出するように、開口の大きさ及び位置が設計されている。
【００１４】
２本の固定ネジ７−１、７−２は、従来の固定ネジ３−１、３−２に相当し、メンテナンスカバー６の長穴（６−１、６−２）にそれぞれ通して筐体５にねじ込まれ、それによりメンテナンスカバー６をスライド可能なように筐体５に繋ぎ止める。
開け方向指示表記９は、筐体５の凹部に印刷あるいは刻印されたメンテナンスカバー６のスライド方向を指示する表記であり、メンテナンスカバー６を通常時の位置（メンテナンス用コネクタ（１０−１）等がカバーされた位置）にしたときに窓６−３から露出する領域に設けられているこれにより、メンテナンス時のメンテナンスカバー６のスライド方向が容易に分かる。
【００１５】
図７は、本実施例のメンテナンスカバー付き通信機器の底面図（メンテナンスカバー開放時）である。
メンテナンス用コネクタ１０−１、設定スイッチ１０−２は、従来のメンテナンス用コネクタ４−１、設定スイッチ４−２と同一である。これらは通常プリント配線板上に実装されるので、窓８の長手方向にほぼ直線状に配置されることになる。
【００１６】
本実施例のメンテナンスカバー付き通信機器では、装置のメンテナンス時、もしくは初期設定時等にメンテナンスカバー６を開ける場合、固定ネジ７−１、７−２を緩めて、メンテナンスカバー６を開け方向指示表記９の示す方向（背面に向かう方向）にスライドさせることによって、メンテナンス用コネクタ１０−１、設定スイッチ１０−２に容易にアクセスすることができる。
つまり、固定ネジ２本、メンテナンスカバー共に、装置から取り外すことなく作業ができるため、それらパーツ類の紛失を防ぐことができる。
【００１７】
図８は、本実施例のメンテナンスカバー６の詳細図である。
長穴６−１、６−２は、互いに略平行となるようにメンテナンスカバー６に穿設される。長穴６−１、６−２の長さは、スライド長を決定するので、少なくとも筐体の穴及びメンテナンスカバー６の窓６−３のいずれの幅よりも長い。
窓６−３は、上述したとおりである。
【００１８】
従来のメンテナンスカバー２は単にメンテナンス用コネクタ等を覆うことができる幅があればよかったが、本実施例ではメンテナンスカバー６を幅方向にスライドさせるため、さらにメンテナンスカバー６の開放時に、その一部が筐体の背面からせり出すようにするため、幅が広くなっている。そして、せり出す側の角には、円弧状の面取りが成されている。
更に、せり出す部分の裏側（筐体に接する側）には、メンテナンスカバー６を閉める際のスライド方向を示す閉め方向指示表記６−４が印刷あるいは刻印されている。
【００１９】
図９は、本実施例のメンテナンスカバー付き通信機器の天面図（メンテナンスカバー開放時）である。メンテナンスカバー６をスライドして開放したときに、メンテナンスカバー６が筐体５からはみ出すため、上方から装置を見ると、メンテナンスカバー６のはみ出しが目視できるほか、そのはみ出した部分に設けられた閉め方向指示表記が読み取れるようになっている。
これにより、メンテナンス時のメンテナンスカバースライド開放後、運用開始する時に、メンテナンスカバーを閉め忘れていることに容易に気が付くことができる。
【００２０】
本実施例によれば、筐体やメンテナンスカバーに溝などの複雑な勘合構造を用いずに、メンテナンスカバーを開閉可能にし繋止することができる。
なお本実施例で用いた固定ネジ７−１、７−２は、それらを締めることで、メンテナンスカバー６の自由なスライドを拘束する機能を有しているが、筐体５とメンテナンスカバー６の接合面にそれぞれ設けた凹部及び凸部による緩い嵌合等の別の拘束手段を設ければ、ネジ以外の固定手段を用いることができる。例えば、筐体の一部として形成し、メンテナンスカバー６を取り付けた後に先端をカシメて脱落しないようにした固定手段を用いても良い。
【図面の簡単な説明】
【００２１】
【図１】従来の通信機器の外観図
【図２】従来の通信機器の底面図（メンテナンスカバー閉鎖時）
【図３】従来の通信機器の底面図（メンテナンスカバー開放時）
【図４】従来の通信機器のメンテナンスカバー２の外観図
【図５】実施例１のメンテナンスカバー付き通信機器の外観図
【図６】実施例１のメンテナンスカバー付き通信機器の底面図（メンテナンスカバー装着時）
【図７】実施例１のメンテナンスカバー付き通信機器の底面図（メンテナンスカバー開放時）
【図８】実施例１のメンテナンスカバー６の詳細図
【図９】実施例１のメンテナンスカバー付き通信機器の天面図（メンテナンスカバー開放時）
【符号の説明】
【００２２】
１、５…筐体
２，６…メンテナンスカバー
２−１、２−２…穴
３−１、３−２、７−１、７−２…固定ネジ
４−１、１０−１…メンテナンス用コネクタ
４−２、１０−２…設定スイッチ
６−１、６−２…長穴
６−３…窓
６−４…閉め方向指示表記
９…開け方向指示表記
【図１】
2008103555.tif 000003
【図２】
2008103555.tif 000004
【図３】
2008103555.tif 000005
【図４】
2008103555.tif 000006
【図５】
2008103555.tif 000007
【図６】
2008103555.tif 000008
【図７】
2008103555.tif 000009
【図８】
2008103555.tif 000010
【図９】
2008103555.tif 000011